(57)【要約】【課題】信号が受信されている場合においても低消費電力化を実現することが可能な受信装置を提供する。【解決手段】放送波である高周波信号を受信するアンテナと、高周波信号の振幅を増幅する高周波増幅部と、高周波信号を中間周波信号に変換する周波数変換部と、中間周波信号の振幅を可変の増幅率で増幅する中間周波増幅部と、増幅された中間周波信号に基づいて、伝送ストリーム信号と伝送多重制御情報とを復調する復調部と、伝送ストリーム信号に基づいて音声信号および映像信号を復調する音声映像復調部と、伝送多重制御情報に含まれる変調方式を検出する変調方式検出部と、中間周波増幅部に電圧を印加することによって可変の増幅率を調整する増幅率調整部と、変調方式が振幅変調を含む変調方式から振幅変調を含む変調方式とは異なる変調方式に変化した場合には、増幅率調整部の動作を停止する制御部とを備える。【選択図】図１
2008283339.tif 000002
【特許請求の範囲】
【請求項１】
放送波である高周波信号を受信するアンテナと、
前記高周波信号の振幅を増幅する高周波増幅部と、
前記高周波信号を中間周波信号に変換する周波数変換部と、
前記中間周波信号の振幅を可変の増幅率で増幅する中間周波増幅部と、
前記増幅された前記中間周波信号に基づいて、伝送ストリーム信号と伝送多重制御情報とを復調する復調部と、
前記伝送ストリーム信号に基づいて音声信号及び映像信号を復調する音声映像復調部と、
前記伝送多重制御情報に含まれる変調方式を検出する変調方式検出部と、
前記中間周波増幅部に電圧を印加することによって前記可変の増幅率を調整する増幅率調整部と、
前記変調方式が振幅変調を含む変調方式から前記振幅変調を含む変調方式とは異なる変調方式に変化した場合には、前記増幅率調整部の動作を停止する制御部と、
を備えたことを特徴とする受信装置。
【請求項２】
請求項１に記載の受信装置であって、
更に、前記中間周波増幅部に印加する前記電圧を固定させるか、変動させるかを切り替えるスイッチ部を備え、
前記制御部は、前記増幅率調整部の動作を停止したとき、前記スイッチ部によって、前記電圧を前記可変の増幅率の変動範囲において最小となる基準制御電圧に固定することを特徴とする受信装置。
【請求項３】
請求項１または請求項２に記載の受信装置であって、
前記振幅変調を含む変調方式は１６ＱＡＭ（Ｑｕａｄｒａｔｕｒｅ  Ａｍｐｌｉｔｕｄｅ  Ｍｏｄｕｌａｔｉｏｎ）であることを特徴とする受信装置。
【請求項４】
請求項１から請求項３までのいずれか一項に記載の受信装置であって、
前記振幅変調を含む変調方式とは異なる変調方式はＱＰＳＫ（Ｑｕａｄｒａｔｕｒｅ  Ｐｈａｓｅ  Ｓｈｉｆｔ  Ｋｅｙｉｎｇ）であることを特徴とする受信装置。
【請求項５】
請求項１から請求項４までのいずれか一項に記載の受信装置を備えた電子機器。
【請求項６】
アンテナが、放送波である高周波信号を受信する受信工程と、
高周波増幅部が、前記高周波信号の振幅を増幅する高周波増幅工程と、
周波数変換部が、前記高周波信号を中間周波信号に変換する周波数変換工程と、
中間周波増幅部が、前記中間周波信号の振幅を可変の増幅率で増幅する中間周波増幅工程と、
復調部が、前記増幅された前記中間周波信号に基づいて、伝送ストリーム信号と伝送多重制御情報とを復調する復調工程と、
音声映像復調部が、前記伝送ストリーム信号に基づいて音声信号及び映像信号を復調する音声映像復調工程と、
変調方式検出部が、前記伝送多重制御情報に含まれる変調方式を検出する変調方式検出工程と、
増幅率調整部が、前記中間周波増幅部に電圧を印加することによって前記可変の増幅率を調整する増幅率調整工程と、
制御部が、前記変調方式が振幅変調を含む変調方式から前記振幅変調を含む変調方式とは異なる変調方式に変化した場合には、前記増幅率調整部の動作を停止する制御工程と、
を含むことを特徴とする受信方法。
【発明の詳細な説明】
【技術分野】
【０００１】
本発明は受信装置、電子機器及び受信方法に関し、特に、携帯型デジタルテレビジョン放送受信機に好適なものである。
【背景技術】
【０００２】
デジタルＣＳ（Ｃｏｍｍｕｎｉｃａｔｉｏｎ  Ｓａｔｅｌｌｉｔｅ）放送やＢＳ（Ｂｒｏａｄｃａｓｔ  Ｓａｔｅｌｌｉｔｅ）放送、デジタル地上波放送等、テレビジョン放送のデジタル化が進められてきており、アナログのテレビジョン放送からデジタルのテレビジョン放送への移行が進められている。ここで、電池駆動型の携帯型デジタル放送受信機
においては、小型・軽量化と共に、電池持続時間が商品の生命線であるから、低消費電力
化が極めて重要な課題となる。
【０００３】
一方、特許文献１には、携帯型デジタル放送受信機の低消費電力化を図るために、アン
テナで受信した放送波の信号レベルをチューナで検出して基準値と比較し、正常な音声お
よび映像が得られない場合には、デコーダ回路以降の動作を停止させる方法が開示されて
いる。
【０００４】
【特許文献１】特開２００３−１５８６９１号公報
【発明の開示】
【発明が解決しようとする課題】
【０００５】
しかしながら、特許文献１に開示された方法では、デコーダ回路以降の動作を停止させ
るためには、信号レベル検出回路や、基準値との比較器が必要な上、間欠的に受信状態を
監視する必要があるため、タイマー回路等も不可欠となり、回路の複雑化、大型化及び
高コスト化を招くという問題があった。また、特許文献１に開示された方法では、受信不
可の場合の低消費電力化は実現できても、正常に受信可能な場合には低消費電力化を図る
ことができないという問題があった。
【０００６】
そこで、本発明の目的は、回路規模の増大を抑制しつつ、放送波が受信されている場合においても低消費電力化を実現することが可能な受信装置を提供することである。
【課題を解決するための手段】
【０００７】
上述した課題を解決するために、本発明の一態様に係る受信装置によれば、放送波である高周波信号を受信するアンテナと、前記高周波信号の振幅を増幅する高周波増幅部と、
前記高周波信号を中間周波信号に変換する周波数変換部と、前記中間周波信号の振幅を可変の増幅率で増幅する中間周波増幅部と、前記増幅された前記中間周波信号に基づいて、伝送ストリーム信号と伝送多重制御情報とを復調する復調部と、前記伝送ストリーム信号に基づいて音声信号及び映像信号を復調する音声映像復調部と、前記伝送多重制御情報に含まれる変調方式を検出する変調方式検出部と、前記中間周波増幅部に電圧を印加することによって前記可変の増幅率を調整する増幅率調整部と、前記変調方式が振幅変調を含む変調方式から前記振幅変調を含む変調方式とは異なる変調方式に変化した場合には、前記増幅率調整部の動作を停止する制御部と、を備えたことを特徴とする。
【０００８】
このような受信装置によれば、制御部は、変調方式が振幅変調を含む変調方式から振幅変調を含む変調方式とは異なる変調方式に変化すると、増幅率調整部の動作を停止する。振幅変調を含む変調方式とは異なる変調方式を使用しているときは、増幅率調整部の動作を停止しても、デジタル放送の放送波を受信することができる。従って、放送波が受信されている場合においても低消費電力化を実現することが可能となる。
【０００９】
かかる受信装置であって、更に、前記中間周波増幅部に印加する前記電圧を、固定させるか、変動させるかを切り替えるスイッチ部を備え、前記制御部は、前記増幅率調整部の動作を停止したとき、前記スイッチ部によって、前記電圧を、前記可変の増幅率の変動範囲において最小となる基準制御電圧に固定することを特徴とする。
【００１０】
このような受信装置によれば、中間周波増幅部は、可変の増幅率の変動範囲において最小の増幅率を用いて、中間周波信号を増幅する。従って、振幅変調を含む変調方式とは異なる変調方式によって、放送波が受信されている場合においてもさらに低消費電力化を実現することが可能となる。
【００１１】
かかる受信装置であって、振幅変調を含む変調方式は１６ＱＡＭ（Ｑｕａｄｒａｔｕｒｅ  Ａｍｐｌｉｔｕｄｅ  Ｍｏｄｕｌａｔｉｏｎ）であることを特徴とする。このような受信装置によれば、放送波が受信されている場合においても低消費電力化を実現することが可能となる。
【００１２】
かかる受信装置であって、振幅変調を含む変調方式とは異なる変調方式はＱＰＳＫ（Ｑｕａｄｒａｔｕｒｅ  Ｐｈａｓｅ  Ｓｈｉｆｔ  Ｋｅｙｉｎｇ）であることを特徴とする。このような受信装置によれば、放送波が受信されている場合においても低消費電力化を実現することが可能となる。
【００１３】
また、本発明の受信装置を備えた電子機器であってもよい。
【００１４】
本発明を受信方法として捉えることもできる。すなわち、アンテナが、放送波である高周波信号を受信する受信工程と、高周波増幅部が、前記高周波信号の振幅を増幅する高周波増幅工程と、周波数変換部が、前記高周波信号を中間周波信号に変換する周波数変換工程と、中間周波増幅部が、前記中間周波信号の振幅を可変の増幅率で増幅する中間周波増幅工程と、復調部が、前記増幅された前記中間周波信号に基づいて、伝送ストリーム信号と伝送多重制御情報とを復調する復調工程と、音声映像復調部が、前記伝送ストリーム信号に基づいて音声信号及び映像信号を復調する音声映像復調工程と、変調方式検出部が、前記伝送多重制御情報に含まれる変調方式を検出する変調方式検出工程と、増幅率調整部が、前記中間周波増幅部に電圧を印加することによって前記可変の増幅率を調整する増幅率調整工程と、制御部が、前記変調方式が振幅変調を含む変調方式から前記振幅変調を含む変調方式とは異なる変調方式に変化した場合には、前記増幅率調整部の動作を停止する制御工程と、を含むことを特徴とする。
【発明を実施するための最良の形態】
【００１５】
以下、本発明の実施形態に係る受信装置について図面を参照しながら説明する。
（第１実施形態）
図１は、本発明の第１実施形態に係る受信装置の概略構成を示すブロック図である。図１において、受信装置１は、放送波である高周波信号を受信するアンテナ１０、受信した高周波信号の振幅を増幅する高周波増幅部２０、高周波信号を中間周波信号に変換する周波数変換部３０、変換された中間周波信号の振幅を可変の増幅率で増幅する中間周波増幅部４０、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調処理を行うＯＦＤＭ復調部５０、ＭＰＥＧ（Ｍｏｖｉｎｇ  Ｐｉｃｔｕｒｅ  Ｅｘｐｅｒｔｓ  Ｇｒｏｕｐ）方式による復調処理を行うＭＰＥＧ復調部９０を含んで構成されている。
【００１６】
また、本受信装置１のＭＰＥＧ復調部９０には、テレビジョン放送の音声を出力するスピーカ１００及びテレビジョン放送の映像を表示するディスプレイ１１０が、図示しない適宜の端子部等を通して接続されている。尚、デジタル方式のテレビジョン放送としては、例えば、デジタルＣＳ放送やデジタルＢＳ放送、デジタル地上波放送等を挙げることができる。
【００１７】
高周波増幅部２０には、アンテナ１０によって受信された高周波信号の振幅を増幅するＬＮＡ（Ｌｏｗ  Ｎｏｉｓｅ  Ａｍｐｌｉｆｉｅｒ）２２が備えられている。また、高周波増幅部２０には、周波数変換部３０から出力される中間周波信号の出力レベルを帰還させてＬＮＡ２２が増幅する増幅率を制御するＲＦＡＧＣ（Ｒａｄｉｏ  Ｆｒｅｑｕｅｎｃｙ  Ａｕｔｏｍａｔｉｃ  Ｇａｉｎ  Ｃｏｎｔｒｏｌ）２１が備えられている。
【００１８】
周波数変換部３０には、局部発振信号を発生させる局部発振器３２が備えられ、局部発振信号を高周波信号に混合することにより、高周波信号を中間周波信号に変換する混合器３１が設けられている。局部発振器３２が発生する局部発振信号の周波数を設定し、その局部発振信号と高周波信号とを混合器３１にて混合することにより、ＬＮＡ２２によって増幅された高周波信号を中間周波信号に変換することができる。
【００１９】
ＯＦＤＭ復調部５０には、中間周波増幅部４０によって増幅された中間周波信号に基づいて、ＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ：伝送多重制御）情報を復号するＴＭＣＣ復号部５１及びＴＳ（Ｔｒａｎｓｐｏｒｔ  Ｓｔｒｅａｍ：伝送ストリーム）信号を復号するＴＳ復号部５２が設けられている。本実施形態のＯＦＤＭ復調部５０は、中間周波増幅部４０によって増幅された中間周波信号に基づいて、伝送ストリーム信号と伝送多重制御情報とを復調する復調部を構成する。
【００２０】
ＭＰＥＧ復調部９０は、ＴＳ復号部５２によって復号された伝送ストリーム信号に基づいて音声信号及び映像信号を復調する音声映像復調部を構成する。復調された音声信号及び映像信号は、スピーカ１００やディスプレイ１１０に出力される。
【００２１】
ＴＭＣＣ情報には、階層伝送に関する情報、変調方式などの各階層の伝送パラメータ情報、ＯＦＤＭセグメントに関する情報などを含むことができる。変調方式には、送信される情報に基づいて、テレビジョン放送の搬送波の位相を変化させる方式や、位相と振幅を変化させる方式がある。本実施形態の受信装置が受信する放送波の変調方式は、位相を変化させるＱＰＳＫ（Ｑｕａｄｒａｔｕｒｅ  Ｐｈａｓｅ  Ｓｈｉｆｔ  Ｋｅｙｉｎｇ）と、位相と振幅を変化させる１６ＱＡＭ（Ｑｕａｄｒａｔｕｒｅ  Ａｍｐｌｉｔｕｄｅ  Ｍｏｄｕｌａｔｉｏｎ）である。尚、ＱＰＳＫや１６ＱＡＭは、雑音や妨害に強いので、主に移動受信向けや携帯受信向けに使用される。
【００２２】
また、ＴＳ復号部５２は、中間周波増幅部４０からＯＦＤＭ復調部５０に出力する中間周波信号の平均の出力レベルを示す信号をデジタル信号として、増幅率調整部８０に出力する。
【００２３】
受信装置１には、更に、伝送多重制御（ＴＭＣＣ）情報に含まれる変調方式を検出する変調方式検出部６０、中間周波増幅部４０が中間周波の振幅を増幅する可変の増幅率を調整する増幅率調整部８０、増幅率調整部８０の動作を停止するか否かを制御する制御部７０が設けられている。
【００２４】
変調方式検出部６０は、ＴＭＣＣ復号部５１から伝送多重制御（ＴＭＣＣ）情報に含まれる変調方式を検出する。
【００２５】
増幅率調整部８０は、ＴＳ復号部５２から出力されるデジタル信号に基づいて、中間周波増幅部４０に電圧を印加して可変の増幅率を調整する。増幅率調整部８０には、デジタル信号をアナログ信号に変換するＤ／Ａコンバータ８２と、アナログ信号を増幅する増幅器８１が備えられている。増幅率調整部８０は、ＴＳ復号部５２から出力されるデジタル信号を、Ｄ／Ａコンバータ８２によって、アナログ信号に変換する。そして、増幅率調整部８０は、変換されたアナログ信号を増幅器８１によって増幅し、増幅されたアナログ信号を、中間周波増幅部４０に電圧として印加する。このようにして、増幅率調整部８０は、中間周波増幅部４０からＯＦＤＭ復調部５０に出力する中間周波信号の平均の出力レベルをＯＦＤＭ復調部５０を介して取得し、取得した中間周波信号の平均の出力レベルに応じた電圧を中間周波増幅部４０に印加する。
【００２６】
変調方式が振幅変調を含む変調方式である１６ＱＡＭを用いて放送波を送信しているときは、搬送波の振幅と位相の変化による情報を放送波として送信している。従って、アンテナ１０によって受信され、周波数変換部３０によって変換された中間周波信号の振幅が大きく変動した場合は、振幅の変化による情報を取得できないため、ＯＦＤＭ復調部５０による復調ができないことになる。そこで、増幅率調整部８０は、中間周波増幅部４０からＯＦＤＭ復調部５０に出力する中間周波信号の平均の出力レベルをＯＦＤＭ復調部５０を介して取得し、取得した中間周波信号の平均の出力レベルに基づいた電圧を中間周波増幅部４０に印加する。そして、ＯＦＤＭ復調部５０に入力される中間周波信号の振幅が大きく変動しないように、中間周波増幅部４０による中間周波信号の振幅を増幅する増幅率を調整する。
【００２７】
一方、変調方式が振幅変調を含む変調方式とは異なるＱＰＳＫを用いて放送波を送信しているときは、搬送波の位相のみの変化による情報を放送波として送信している。従って、アンテナ１０によって受信し、周波数変換部３０によって変換された中間周波信号の振幅が大きく変動した場合でも、位相の変化の情報を用いてＯＦＤＭ復調部５０による復調ができる。
【００２８】
放送波を送信しているとき、変調方式の情報を放送波に含めて送信している。変調方式検出部６０は、ＴＭＣＣ復号部５１から変調方式の情報を検出し、制御部７０に変調方式の情報を出力する。
【００２９】
制御部７０は、入力された変調方式が振幅変調を含む変調方式である１６ＱＡＭであるときは、増幅率調整部８０の電源を入れて保持し、増幅率調整部８０が中間周波増幅部４０に印加する電圧を出力できるようにする。
【００３０】
制御部７０は、入力された変調方式が振幅変調を含む変調方式とは異なるＱＰＳＫであるときは、増幅率調整部８０の電源を切り、増幅率調整部８０が中間周波増幅部４０に印加する電圧を出力することを中止させる。
【００３１】
放送局から放送波を送信しているときは、変調方式を変更しようとする放送波を送信する前に、変更しようとする変調方式の情報を送信する。例えば、振幅変調を含む変調方式である１６ＱＡＭから振幅変調を含む変調方式とは異なるＱＰＳＫに変更しようとするときは、ＱＰＳＫによる変調方式で変調された放送波を送信する前に、ＱＰＳＫとしての変調方式の情報が送られる。すると、変調方式検出部６０から変調方式がＱＰＳＫであることを取得した制御部７０によって、増幅率調整部８０の電源が切られ、ＯＦＤＭ復調部５０によって、ＱＰＳＫの変調方式に基づいて中間周波信号が復調される。このように、１６ＱＡＭからＱＰＳＫの変調方式に変更されると、すぐに増幅率調整部８０の電源が切られて増幅率調整部８０が消費する電力を抑制することができる。
【００３２】
また、反対に、振幅変調を含む変調方式とは異なるＱＰＳＫから振幅変調を含む変調方式である１６ＱＡＭに変更しようとするときは、１６ＱＡＭによる変調方式で変調された放送波を送信する前に、１６ＱＡＭとしての変調方式の情報が送られる。すると、変調方式検出部６０から変調方式が１６ＱＡＭであることを取得した制御部７０によって、増幅率調整部８０の電源が入れられ、ＯＦＤＭ復調部５０によって、中間周波が復調される。このように、ＱＰＳＫから１６ＱＡＭの変調方式に変更されると、すぐに増幅率調整部８０の電源が入れられる。従って、アンテナ１０によって受信される放送波の変調方式がＱＰＳＫから１６ＱＡＭに変更されても、ＯＦＤＭ復調部５０によって正常に復調される。
【００３３】
以上説明したように、本発明の受信装置１は、放送波である高周波信号を受信するアンテナ１０と、高周波信号の振幅を増幅する高周波増幅部２０と、高周波信号を中間周波信号に変換する周波数変換部３０と、中間周波信号の振幅を可変の増幅率で増幅する中間周波増幅部４０と、増幅された中間周波信号に基づいて、伝送ストリーム信号と伝送多重制御情報とを復調する復調部としてのＯＦＤＭ復調部５０と、伝送ストリーム信号に基づいて音声信号及び映像信号を復調する音声映像復調部としてのＭＰＥＧ復調部９０と、伝送多重制御情報に含まれる変調方式を検出する変調方式検出部６０と、中間周波増幅部４０に電圧を印加することによって可変の増幅率を調整する増幅率調整部８０と、変調方式が振幅変調を含む変調方式から振幅変調を含む変調方式とは異なる変調方式に変化した場合には、増幅率調整部８０の動作を停止する制御部７０と、を備える。
【００３４】
こうすることにより、ＱＰＳＫの変調方式で送付された放送波を受信し、復調しているときは、増幅率調整部８０の電源を切って動作を停止するので、増幅率調整部８０を動作させる消費電力を抑制することができる。従って、テレビジョン放送信号が受信されている場合においても低消費電力化を実現することが可能な受信装置を提供することが可能となる。また、本実施形態では、受信した信号のレベルを基準の信号レベルと比較するための回路や、受信された放送波の変調方式を間欠的に監視するためのタイマー回路などを設ける必要がないので、回路の複雑化、大型化及び高コスト化を招くことを抑制できる。
【００３５】
（第２実施形態）
第２実施形態について説明する。第２実施形態は、第１実施形態で説明した構成に、更に、増幅率を決定するために中間周波増幅部に印加する電圧を固定させるか、変動させるかを切り替えるスイッチ部を設けたものである。図２は、本発明の第２実施形態に係る受信装置の概略構成を示すブロック図である。
【００３６】
図２の受信装置１ａは、図１の受信装置１の構成に、更に、増幅率を決定するために中間周波増幅部に印加する信号のレベルを固定するか、変動するかを切り替えるスイッチ部１２０を備えている。スイッチ部１２０は、接点ａと接点ｂを導通させるか、接点ａと接点ｃを導通させるかを切り替えて選択することができる、例えばスイッチングトランジスタなどから構成される。図２の接点ａと接点ｂを結ぶ実線は、スイッチ部１２０が、接点ａと接点ｂを導通させる場合を示し、接点ａと接点ｃを結ぶ二点鎖線は、接点ａと接点ｃを導通させる場合を示している。すなわち、接点ａが接点ｂまたは接点ｃのうちのどちらか一方の接点に接続されている場合は、接点ａが接点ｂまたは接点ｃのうちの他方の接点には接続されていないことを示す。
【００３７】
スイッチ部１２０には、電圧値が一定の基準制御電圧部１２１が備えられている。この電圧値は、中間周波増幅部４０が中間周波の振幅を増幅する可変の増幅率の変動範囲において、最小の増幅率を決定する電圧値である。基準制御電圧部１２１と接点ｃとは接続されており、同じ電位である。
【００３８】
第１実施形態で説明したように、中間周波信号の平均の出力レベルがＯＦＤＭ復調部５０を介して、増幅率調整部８０に入力される。増幅率調整部８０は、入力された中間周波信号の平均の出力レベルに応じて、中間周波増幅部４０に電圧を印加して、中間周波増幅部４０が増幅する中間周波信号の振幅の増幅率を調整する。
【００３９】
変調方式検出部６０は、ＴＭＣＣ復号部５１からＴＭＣＣ情報に含まれる変調方式を取得し、制御部７０に出力する。制御部７０は、入力された変調方式が振幅変調を含む変調方式である１６ＱＡＭであるときは、増幅率調整部８０の電源を入れて保持する。そして、制御部７０は、スイッチ部１２０の接点ａと接点ｂとを導通させる。
【００４０】
すると、増幅率調整部８０から、中間周波増幅部４０から出力された中間周波信号の平均の出力レベルに基づいた電圧が中間周波増幅部４０に印加される。そして、中間周波増幅部４０が中間周波の振幅を増幅するときの増幅率が、印加された電圧によって変動される。
【００４１】
制御部７０は、取得した変調方式が１６ＱＡＭからＱＰＳＫに変化すると、増幅率調整部８０の電源を切る。そして、スイッチ部１２０は、接点ａと接点ｂとの導通を遮断し、接点ａと接点ｃとを導通させる。すると、接点ｃと導通した基準制御電圧部１２１の電圧が中間周波増幅部４０に印加される。前述したように、基準制御電圧部１２１の電圧が中間周波増幅部４０に印加されると、中間周波増幅部４０が中間周波信号の振幅を増幅するときの可変の増幅率の変動範囲において、最小の増幅率が固定される。この最小の増幅率は、中間周波増幅部４０によって増幅された中間周波信号をＯＦＤＭ復調部５０によって復調できる最小の増幅率である。
【００４２】
制御部７０は、取得した変調方式がＱＰＳＫから１６ＱＡＭに変化して戻ると、増幅率調整部８０の電源を入れて保持する。そして、スイッチ部１２０は、接点ａと接点ｃとの導通を遮断し、接点ａと接点ｂとを導通させる。すると、ＴＳ復号部５２から出力される信号レベルに基づいて増幅率調整部８０から出力された電圧が中間周波増幅部４０に印加される。
【００４３】
このように、本発明の受信装置１ａは、第１実施形態で説明した受信装置１に、更に、中間周波増幅部４０に印加する電圧を、固定させるか、変動させるかを切り替えるスイッチ部１２０を備え、制御部７０は、増幅率調整部８０の動作を停止したとき、スイッチ部１２０によって、電圧を、可変の増幅率の変動範囲において最小となる基準制御電圧に固定する。
【００４４】
こうすることにより、振幅変調を含む変調方式とは異なるＱＰＳＫの変調方式で放送波を受信しているとき、中間周波増幅部４０が中間周波信号の振幅を増幅するときの増幅率は、可変の増幅率の変動範囲において最小の増幅率となる。従って、中間周波増幅部４０は、最小の消費電力により動作することができる。すなわち、テレビジョン放送信号が受信されている場合においてもさらに低消費電力化を実現することが可能な受信装置を提供することが可能となる。
【図面の簡単な説明】
【００４５】
【図１】本発明の第１実施形態に係る受信装置の概略構成を示すブロック図。
【図２】本発明の第２実施形態に係る受信装置の概略構成を示すブロック図。
【符号の説明】
【００４６】
１…受信装置、１ａ…受信装置、１０…アンテナ、２０…高周波増幅部、３０…周波数変換部、４０…中間周波増幅部、５０…ＯＦＤＭ復調部、６０…変調方式検出部、７０…制御部、８０…増幅率調整部、９０…ＭＰＥＧ復調部、１２０…スイッチ部、１２１…基準制御電圧部。
【図１】
2008283339.tif 000003
【図２】
2008283339.tif 000004